(57)【要約】【課題】表示部の大きさが十分でないスキャナ装置において、有効画像領域の比率を利用者に知らせ、利用者の意図しない無駄な出力を防止する。【解決手段】入力画像データに対する画像処理条件を入力し、この画像処理条件に基づき、画像形成領域算出手段２４は、画像形成領域の面積を算出し、有効画像領域算出手段２５は、有効画像領域の面積を算出する。有効画像領域率算出手段２６は、画像形成領域の面積に対する有効画面領域の面積の比率を算出して表示部に表示させるので、利用者は、出力画像のプレビュー表示ができない装置であっても、原稿を読み取る前に、記録媒体に形成される有効画像の大きさを認識することが可能になる。その結果、利用者の意図しない無駄な出力が抑止できる。【選択図】図１
2013128230.tif 000002
【特許請求の範囲】
【請求項１】
原稿を読み取って入力画像データを出力する画像読み取り手段と、
前記入力画像データに対する画像処理条件を入力する入力手段と、
前記入力画像データを入力し、前記入力手段により入力された前記画像処理条件に基づき、前記入力画像データから出力前画像データを生成して所定領域に格納し、前記出力前画像データを、前記画像処理条件で指定された記録媒体サイズに対応した画像形成領域に移動して出力画像データを生成する画像加工手段と、
前記画像形成領域の面積を算出する画像形成領域算出手段と、
前記画像形成領域の面積から所定データ置換領域の面積を差し引いて有効画像領域の面積を算出する有効画像領域算出手段と、
前記画像形成領域の面積に対する前記有効画像領域の面積の比率を算出する有効画像領域率算出手段と、
算出された前記比率を表示部に表示させる算出結果出力手段と、
を備えたことを特徴とする画像入力装置。
【請求項２】
前記画像加工手段は、更に、
前記出力前画像データが格納された前記所定領域において、前記画像処理条件で指定された前記所定データ置換領域を所定データで置換することを特徴とする請求項１記載の画像入力装置。
【請求項３】
前記画像加工手段は、更に、
前記出力前画像データを前記画像形成領域に移動したときに、前記出力前画像データにおいて、前記画像形成領域を超過する部分を除去して前記出力画像データを生成することを特徴とする請求項１又は２記載の画像入力装置。
【請求項４】
前記画像加工手段は、更に、
前記出力前画像データを前記画像形成領域に移動したときに、前記画像形成領域において、前記出力前画像データの移動がなかった部分を前記指定データに置換して前記出力画像データを生成することを特徴とする請求項１〜３のいずれか１項に記載の画像入力装置。
【請求項５】
前記画像加工手段は、更に、
前記画像処理条件に基づき、前記入力画像データで表される入力画像を変倍して前記出力前画像データを生成することを特徴とする請求項１〜４のいずれか１項に記載の画像入力装置。
【請求項６】
前記画像処理条件は、
前記入力画像データで表される入力画像のサイズ、前記記録媒体サイズ、前記所定データ置換領域のサイズ、及び前記入力画像の変倍率を含むことを特徴とする請求項１〜５のいずれか１項に記載の画像入力装置。
【請求項７】
前記所定データは、
白色を表す画像データであることを特徴とする請求項１〜６のいずれか１項に記載の画像入力装置。
【請求項８】
請求項１〜７のいずれか１項に記載の画像入力装置は、更に、
前記出力前画像データが格納された前記所定領域の面積から前記所定データ置換領域の面積を差し引いて全体画像領域の面積を求める全体画像領域算出手段と、
前記全体画像領域の面積に対する前記有効画像領域の面積の比率を算出する有効画像再現率算出手段と、
を備えたことを特徴とする画像入力装置。
【請求項９】
請求項１〜８のいずれか１項に記載の画像入力装置と、
前記画像加工手段により生成された前記出力画像データに基づき、前記記録媒体に画像を形成する印刷手段と、
を備えたことを特徴とする画像形成装置。
【発明の詳細な説明】
【技術分野】
【０００１】
本発明は、原稿を読み取って画像データを入力する画像入力装置、及びこの画像入力装置を有する画像形成装置に関するものである。
【背景技術】
【０００２】
従来の画像入力装置を有する画像形成装置は、例えば、複写機であって、ブック型原稿の綴じ込み部分や枠部分を利用者の指定に応じて消去する機能を有している。下記の引用文献１には、スキャナにセットされた原稿のサイズを自動検知し、利用者によるセンタ消去、枠消去の指定、消去基準が原稿基準か記録媒体基準かの指定、画像の変倍率の指定等に基づいて、画像データのセンタ消去や枠消去を行って記録媒体に記録する複写機の技術が記載されている。
【先行技術文献】
【特許文献】
【０００３】
【特許文献１】特開平１１−１４３１８７号公報
【発明の概要】
【発明が解決しようとする課題】
【０００４】
しかしながら、従来の画像入力装置及び画像形成装置では、利用者が設定を間違えると、出力画像において、必要以上の白地部分が発生する虞があった。例えば、読み取り画像に対し、枠消去・センタ消去の処理を行った後、拡大・縮小等の画像変倍処理が行われる場合には、利用者が出力画像のイメージを想像するのは難しい。
【０００５】
そのため、パーソナルコンピュータ等では、読み取った画像に対して画像処理を施した結果を、グラフイックパネルにプレビュー表示することが行われている。しかし、画像形成装置が、例えば、電子写真方式による多機能プリンタ（MultiFunction  Printer；以下「ＭＦＰ」という。）の場合には、出力画像をグラフィック表示するには、表示部の大きさが十分でないため、利用者は、記録媒体に印刷を行うまで、白地部分の大きさを認識できない。その結果、利用者の意図しない無駄な出力結果を得てしまうという課題があった。
【課題を解決するための手段】
【０００６】
本発明の画像入力装置は、原稿を読み取って入力画像データを出力する画像読み取り手段と、前記入力画像データに対する画像処理条件を入力する入力手段と、前記入力画像データを入力し、前記入力手段により入力された前記画像処理条件に基づき、前記入力画像データから出力前画像データを生成して所定領域に格納し、前記出力前画像データを前記画像処理条件で指定された記録媒体サイズに対応した画像形成領域に移動して出力画像データを生成する画像加工手段とを備えている。
【０００７】
更に、本発明の画像入力装置は、前記画像形成領域の面積を算出する画像形成領域算出手段と、前記画像形成領域の面積から所定データ置換領域の面積を差し引いて有効画像領域の面積を算出する有効画像領域算出手段と、前記画像形成領域の面積に対する前記有効画像領域の面積の比率を算出する有効画像領域率算出手段と、算出された前記比率を表示部に表示させる算出結果出力手段とを備えている。
【０００８】
本発明の画像形成装置は、前記画像入力装置と、前記画像加工手段により生成された前記出力画像データに基づき、前記記録媒体に画像を形成する印刷手段とを備えている。
【発明の効果】
【０００９】
本発明の画像入力装置及び画像形成装置によれば、画像処理条件を入力し、この画像処理条件に基づき、画像形成領域の面積に対する有効画面領域の面積の比率を算出して表示部に表示するので、利用者は、出力画像のプレビュー表示ができない装置であっても、原稿の読み取り前に記録媒体に形成される有効画像の大きさを認識することが可能になる。その結果、利用者の意図しない無駄な出力を抑止できる。
【図面の簡単な説明】
【００１０】
【図１】図１は本発明の実施例１における図３中のスキャナ装置を示す機能ブロック図である。
【図２】図２は本発明の実施例１における画像形成装置の外観を示す斜視図である。
【図３】図３は図２の画像形成装置の概略を示す構成図である。
【図４】図４は図３中の操作パネルを示す図である。
【図５】図５は枠消去処理後の出力画像を示す図である。
【図６】図６は枠消去処理及び拡大処理後の出力画像を示す図である。
【図７】図７は図４中の表示パネルにおける有効画像領域率の表示例を示す図である。
【図８】図８は本発明の実施例１における図１のスキャナ装置の動作を示すフローチャートである。
【図９】図９は本発明の実施例２におけるスキャナ装置を示す機能ブロック図である。
【図１０】図１０は枠消去処理及び拡大処理後の出力画像を示す図である。
【図１１】図１１は図４中の表示パネルにおける有効画像領域率及び画像再現率の表示例を示す図である。
【図１２】図１２は本発明の実施例２における図９のスキャナ装置の動作を示すフローチャートである。
【発明を実施するための形態】
【００１１】
本発明を実施するための形態は、以下の好ましい実施例の説明を添付図面と照らし合わせて読むと、明らかになるであろう。但し、図面はもっぱら解説のためのものであって、本発明の範囲を限定するものではない。
【実施例１】
【００１２】
（実施例１の構成）
図２は、本発明の実施例１における画像形成装置の外観を示す斜視図である。
【００１３】
画像形成装置は、例えば、ＭＦＰであって、印刷手段としての印刷ユニット８０と、印刷ユニット８０の上部に載置された画像入力装置としてのスキャナ装置１０とを備えている。スキャナ装置１０は、原稿を読み取って入力画像データを入力し、これを加工して出力画像データを外部等に出力する機能を有している。印刷ユニット８０は、例えば、電子写真方式のプリンタ装置であり、スキャナ装置１０で読み取った画像データを印刷する機能を有している。
【００１４】
図３は、図２の画像形成装置の概略を示す構成図である。
画像形成装置は、スキャナ装置１０と、画像形成装置全体を制御する主制御部８１を有する印刷ユニット８０と、ファクシミリ通信機能等を有する通信ユニット９０とから構成されている。
【００１５】
スキャナ装置１０は、原稿を読み取り、読み取った画像データを加工して、印刷ユニット８０に出力するように構成されている。スキャナ装置１０は、プログラム制御によりスキャナ装置１０全体を制御する制御部２０と、原稿を光学的に読み取る読み取りユニット１１と、利用者の操作を受け付け、処理結果を表示する操作パネル３０とを有している。読み取りユニット１１は、例えば、発光ダイオード（ＬＥＤ）等の光源と、電荷結合素子（ＣＣＤ）等の読み取りセンサとを利用したスキャナであり、原稿を読み取って電気信号に変換した後、画像データに変換する機能を有している。
【００１６】
制御部２０は、プログラム等を記憶するリードオンリメモリ（以下「ＲＯＭ」という。）２０ａと、このＲＯＭ２０ａのプログラムを読み出して実行する中央処理装置（以下「ＣＰＵ」という。）２０ｂと、画像データや画像処理条件等を記憶するランダムアクセスメモリ（以下「ＲＡＭ」という。）２０ｃと、不揮発性メモリ２０ｄとを有している。
【００１７】
図４は、図３中の操作パネル３０を示す図である。
操作パネル３０は、の画像形成装置の電源投入／切断を行う電源ボタン３１と、電源の投入／切断の状態を表示する電源ランプ３２と、エラー表示、トナーの有無、用紙の有無等の画像形成装置の状態をランプで表示する状態表示部３３と、各種メッセージやガイダンスを表示する表示部（例えば、表示パネル）３４とを有している。表示パネル３４は、例えば、液晶表示装置（以下「ＬＣＤ」という。）又はＬＥＤと、入力用の操作手段（例えば、タッチパネル）で構成されている。表示パネル３４には、例えば、画像形成装置内で実行されている処理の進行状態や、エラーの内容等が表示されるように構成されている。
【００１８】
更に、操作パネル３０は、数字を入力するテンキー３５と、表示パネル３４に表示された画像を上下左右に移動させる入力操作ボタン３６と、原稿の読み取り開始を指示するスタートボタン３７と、表示パネル３４に有効画像領域率が表示されているときに、出力画像データの印刷ユニット８０への出力を指示する確認ボタン３８と、表示パネル３４に有効画像領域率が表示されているときに、出力画像データの印刷ユニット８０への出力をキャンセルするキャンセルボタン３９とを有している。テンキー３５は、数字の入力機能と同時に文字入力機能を有している。
【００１９】
図１は、本発明の実施例１における図３中のスキャナ装置１０を示す機能ブロック図である。
【００２０】
スキャナ装置１０内の制御部２０は、画像処理条件を入力する画像処理条件入力手段２１と、画像入力手段２２と、画像加工手段２３と、画像形成領域算出手段２４と、有効画像領域算出手段２５と、有効画像領域率算出手段２６と、算出結果出力手段２７と、画像出力手段２８とを有している。読み取りユニット１１と、画像入力手段２２とにより、画像読み取り手段が構成されている。操作パネル３０内のタッチパネルと、画像処理条件入力手段２１とにより、入力手段が構成されている。
【００２１】
画像処理条件入力手段２１は、原稿の読み取りに先だって、操作パネル３０から利用者によって入力される画像処理条件を画像加工手段２３、画像形成領域算出手段２４、及び有効画像領域算出手段２５に対して入力し、ＲＡＭ２０ｃに記憶する機能を有している。画像処理条件には、入力画像データで表される画像のサイズ（例えば、読み取られた画像の幅×高さ）と、紙等の記録媒体のサイズ（例えば、記録媒体の幅×高さ）と、入力画像の変倍指定及びその変倍率と、所定データ置換領域のサイズ（例えば、枠消去領域の幅）とがある。ここで、変倍とは、画像の縦横の比率を変えて拡大、縮小することをいう。画像入力手段２２は、読み取りユニット１１が読み取った原稿の入力画像データを入力してＲＡＭ２０ｃに記憶する機能を有している。
【００２２】
画像加工手段２３は、画像処理条件に基づき、枠消去や拡大縮小等の処理を行って、出力前画像データを生成してＲＡＭ２０ｃ内の指定領域に格納する機能を有している。画像形成手段２３は、この出力前画像データで表される出力前画像の左上頂点と、ＲＡＭ２０ｃ内に設けられた画像形成領域の左上頂点とを重ね、出力前画像及び画像形成領域の互いに対応する各辺が平行になるようにして、出力前画像データを画像形成領域に移動する機能を有している。
【００２３】
前記画像加工手段２３は、出力前画像データを画像形成領域に移動したときに、出力前画像データにおいて、画像形成領域を超過する部分を除去して出力画像データを生成する機能を有している。
【００２４】
画像加工手段２３は、出力前画像データが格納されたＲＡＭ２０ｃ内の所定領域において、画像処理条件で指定された所定データ置換領域（例えば、枠消去領域）を、所定データ（例えば、白色を表す画像データ）で置換し、出力前画像データにおいて、画像形成領域を超過する部分を除去し、出力画像データを生成する機能を有している。
【００２５】
更に、画像加工手段２３は、出力前画像データを画像形成領域に移動したときに、出力前画像データが移動されなかった画像形成領域の部分を、白色を表す画像データで置換する機能を有している。
【００２６】
画像形成領域算出手段２４は、入力された画像処理条件のうちの記録媒体の幅×高さを画像形成領域の幅及び高さとして取得し、画像形成領域の面積を算出する機能を有している。
【００２７】
有効画像領域算出手段２５は、画像形成領域のうちの有効な画像が形成されている有効画像領域の面積を算出する機能を有している。即ち、有効画像領域算出手段２５は、画像形成領域の面積から枠消去領域の面積を差し引いて有効画像領域の面積を算出するようになっている。
【００２８】
有効画像領域率算出手段２６は、画像形成領域の面積に対する有効画像領域の面積の比率を算出する機能を有している。算出結果出力手段２７は、算出された有効画像領域率を操作パネル３０の表示部パネル３４に表示させる機能を有している。画像出力部２８は、画像加工手段２３が生成した出力画像データを印刷ユニット８０に出力する機能を有している。
【００２９】
図５は、枠消去処理後の出力画像を示す図である。
ＲＡＭ２０ｃ内において、仮想的に設けられた画像形成領域４０には、出力前画像データが格納されている。画像形成領域４０のサイズは、具体的には、記録媒体のサイズであり、例えば、本実施例１ではＡ４である。図５の例では、Ａ４サイズの入力画像を入力し、変倍処理を行わない例であり、画像形成領域４０と出力前画像のサイズとは、それぞれＡ４であり、一致している。
【００３０】
この出力前画像において、枠消去領域４１を、白色を表す画像データで置換し、有効画像領域４２を残して出力画像データを生成する。
【００３１】
つまり、図５の例の場合の画像形成領域４０と、枠消去領域４１と、有効画像領域４２と、出力前画像データで表される出力前画像との関係は次の式（１）〜式（３）のように表される。
画像形成領域４０＝有効画像領域４２∪枠消去領域４１・・・（１）
出力画像
＝（有効画像領域４２∪枠消去領域４１）∩画像形成領域４０・・（２）
出力前画像＝有効画像領域４２∪枠消去領域４１・・・（３）
【００３２】
図５の例では、利用者により、画像処理条件として、原稿サイズがＡ４、記録媒体サイズがＡ４、枠消去領域４１の幅ＤＷが３０ｍｍ、及び拡大縮小設定なしが、それぞれ指定されている。
【００３３】
即ち、図５において、画像形成領域４０は、Ａ４サイズになるので、幅ＰＷが２１０ｍｍ、高さＰＨが２９７ｍｍとなる。
【００３４】
図６は、枠消去処理及び拡大処理後の出力画像を示す図である。
図６の例では、利用者により、画像処理条件として、読み取りサイズがＡ４、記録媒体サイズがＡ４、枠消去領域４１の幅ＤＷが３０ｍｍ、及び拡大倍率が３００％、がそれぞれ指定されている。
【００３５】
即ち、図６において、画像形成領域４０は、図５と同様に、Ａ４サイズになるので、画像形成領域４０の幅ＰＷが２１０ｍｍ、高さＰＨが２９７ｍｍとなる。枠消去領域４１の幅ＤＷ２は、３００％で拡大されるため、３０ｍｍが３倍され、９０ｍｍになる。出力前画像は、読み取りサイズがＡ４の入力画像の幅と高さがそれぞれ３倍されるので、画像形成領域４０を超過することになる。式（２）、式（３）により、画像形成領域４０を超過する領域が、除去され、図６に示すように、画像形成領域４０には、枠消去領域４１の一部及び有効画像領域４２の一部が出力画像データとして格納されている。
【００３６】
図７は、図１中の表示パネル３４における有効画像領域率の表示例を示す図である。
【００３７】
表示パネル３４の領域３４ａには、現時点の画像処理条件である、読み取りサイズＡ４、拡大縮小３００％、出力用紙Ａ４、枠消去３０ｍｍ等が表示されている。表示パネル３４の領域３４ｂには、現時点の有効画像領域率３９．８％が表示されている。
【００３８】
（実施例１の動作）
図８は、本発明の実施例１における図１のスキャナ装置１０の動作を示すフローチャートである。
【００３９】
利用者が操作パネル３０を用いて画像処理条件の入力を開始することにより、本処理が開始される。本処理においては、画像処理条件の入力処理と、入力した画像処理条件によって有効画像領域率を算出する処理と、算出した有効画像領域率を出力する処理について説明する。図示しないが、本処理と並行して、画像データの入力処理と、画像加工処理と、画像出力処理が行われる。
【００４０】
ステップＳ１において、画像処理条件入力手段２１は、操作パネル３０から原稿サイズのＡ４を画像形成領域算出手段２４に対して入力し、ＲＡＭ２０ｃに記憶する。ステップＳ２において、画像処理条件入力手段２１は、操作パネル３０から記録媒体サイズＡ４を画形成領域算出手段２４に対して入力し、ＲＡＭ２０ｃに記憶する。
【００４１】
ステップＳ３において、画像処理条件入力手段２１は、操作パネル３０から枠消去範囲の幅３０ｍｍを画像形成領域算出手段２４に対して入力し、ＲＡＭ２０ｃに記憶する。ステップＳ４において、画像処理条件入力手段２１は、操作パネル３０から入力画像データの変倍率３００％を入力し、ＲＡＭ２０ｃに記憶する。ここで、操作パネル３０のスタートボタン３７が押下されると、読み取りユニット１１は、原稿の読み取りを開始する。画像入力手段２２は、入力画像データを入力し、画像加工手段２３は、入力画像データを加工して出力画像データを生成する。本処理は、ステップＳ５へ進む。
【００４２】
ステップＳ５において、画像形成領域算出手段２４は、入力された記録媒体のサイズがＡ４なので、幅ＰＷ×高さＰＨを計算して画像形成領域４０の面積を求める。具体的には、２１０ｍｍ×２９７ｍｍ＝６２３７０平方ｍｍとなる。
【００４３】
ステップＳ６において、有効画像領域算出手段２５は、所定データ置換領域である枠消去領域４１のサイズを求める。変倍指定がないときには、枠消去領域４１の幅ＤＷは、画像処理条件のうちの枠消去領域４１の値の通りである。変倍指定が３００％のときには、枠消去領域４１の幅は、画像処理条件のうちの枠消去領域４１の値の３倍となる。
【００４４】
ステップＳ７において、変倍指定がないとき、有効画像領域算出手段２５は、次の（４）式により、有効画像領域４２の面積を求める。
有効画像領域４２の面積
＝（画像形成領域４０の幅ＰＷ−２×枠消去幅ＤＷ）
×（画像形成領域４０の高さＰＨ−２×枠消去幅ＤＷ）・・・（４）
【００４５】
変倍指定が３００％のときには、有効画像領域算出手段２５は、次の（５）式により、有効画像領域４２の面積を求める。
有効画像領域４２の面積
＝（画像形成領域４０の幅ＰＷ−変倍された枠消去幅ＤＷ２）
×（画像形成領域４０の高さＰＨ−変倍された枠消去幅ＤＷ２）・・・（５）
【００４６】
ステップＳ８において、有効画像領域率算出手段２６は、次の式（６）により、有効画像領域率を求める。
有効画像領域率
＝（有効画像領域４２の面積／画像形成領域４０の面積）×１００・・・（６）
【００４７】
ステップＳ９において、算出結果出力手段２７は、有効画像領域率算出手段２６が算出した有効画像領域率を操作パネル３０の表示パネル３４に表示し、本処理を終了する。
【００４８】
前記ステップＳ１〜Ｓ４の処理において、操作パネル３０のスタートボタン３７の押下は、オペレータが画像処理条件の入力を完了したと判断したときに押下される。そのため、ステップＳ１、Ｓ２が完了したとき、ステップＳ１〜Ｓ３が完了したとき、ステップＳ１〜Ｓ４が完了したときのいずれかの時点でスタートボタン３７が押下される。
【００４９】
次に（１）ステップＳ１、Ｓ２が完了した時点、（２）ステップＳ１〜Ｓ３が完了した時点、及び（３）ステップＳ１〜Ｓ４が完了した時点の、それぞれについて説明を行う。
【００５０】
（１）  ステップＳ１、Ｓ２が完了した時点
この場合は、原稿サイズと記録媒体サイズとが入力され、枠消去範囲の幅と入力画像データの変倍率は、入力されていない。そのため、
入力画像の面積＝有効画像領域４２の面積＝画像形成領域４０の面積
であるので、有効画像領域率は、式（６）から１００％となる。
【００５１】
（２）  ステップＳ１〜Ｓ３が完了した時点
この場合は、原稿サイズと記録媒体サイズと枠消去範囲の幅とが入力され、入力画像データの変倍率は、入力されていない。そのため、有効画像領域４２の面積は、式（４）から
有効画像領域４２の面積
＝（画像形成領域４０の幅ＰＷ−２×枠消去幅ＤＷ）
×（画像形成領域４０の高さＰＨ−２×枠消去幅ＤＷ）
＝（２１０−２×３０）×（２９７−２×３０）
＝３５５５０平方ｍｍ
となる。
【００５２】
画像形成領域４０の面積は、
２１０×２９７＝６２３７０平方ｍｍ
となるので、式（６）から
有効画像領域率
＝（有効画像領域４２の面積／画像形成領域４０の面積）×１００
＝（３５５５０／６２３７０）×１００＝５７．０％
となる。
【００５３】
（３）  ステップＳ１〜Ｓ４が完了した時点
この場合は、原稿サイズと記録媒体サイズと枠消去範囲の幅と入力画像データの変倍率とが入力さている。そのため、有効画像領域４２の面積は、式（５）から
有効画像領域４２の面積
＝（画像形成領域４０の幅ＰＷ−変倍された枠消去幅ＤＷ２）
×（画像形成領域４０の高さＰＨ−変倍された枠消去幅ＤＷ２）・・・（５）
＝（２１０−３０×３）×（２９７−３０×３）＝２４８４０平方ｍｍ
となるので、式（６）から
有効画像領域率
＝（有効画像領域４２の面積／画像形成領域４０の面積）×１００
＝（２４８４０／６２３７０）×１００＝３９．８％
となる。
【００５４】
（実施例１の効果）
本実施例１のスキャナ装置１０及び画像形成装置によれば、次の（ａ）及び（ｂ）のような効果がある。
【００５５】
（ａ）  原稿の読み取り前に原稿のサイズと記録媒体のサイズとを入力し、記録媒体に形成される有効画像領域率を算出して表示するようにした。そのため、利用者は、出力イメージのプレビュー表示ができない装置であっても、原稿の読み取り前に記録媒体に形成される有効画像の大きさを認識することが可能になる。その結果、利用者の意図しない無駄な出力を抑止できる。
【００５６】
（ｂ）  入力画像データの変倍処理、及び枠消去領域４１に対する白色を表す画像データによる置換処理に応じて変化する有効画像領域率が算出可能であるので、変倍処理や枠消去のような、利用者が出力画像データのイメージを想像するのが難しいケースであっても、原稿の読み取り前に記録媒体に形成される有効画像の大きさを認識することが可能になる。
【実施例２】
【００５７】
（実施例２の構成）
図９は、本発明の実施例２におけるスキャナ装置１０Ａを示す機能ブロック図であり、実施例１を示す図１中の要素と共通の要素には共通の符号が付されている。
【００５８】
本実施例２における画像形成装置の構成は、実施例１と同様である。本実施例２におけるスキャナ装置１０Ａの構成は、制御部２０Ａにおいて、全体画像領域算出手段５１と、有効画像再現率算出手段５２とが追加されている点が実施例１と異なっている。その他の構成は、実施例１と同様である。
【００５９】
全体画像領域算出手段５１は、出力前画像データ領域から枠消去領域４１を除去した全体画像領域の面積を求める機能を有している。有効画像再現率算出手段５２は、全体画像領域の面積に対する有効画像領域４２の面積の比率を求める機能を有している。
【００６０】
図１０は、枠消去処理及び拡大処理後の画像を示す図である。
図１０の例では、利用者により、画像処理条件として、原稿のサイズがＡ４、記録媒体のサイズがＡ４、枠消去領域４１の幅ＤＷが３０ｍｍ、及び拡大倍率が３００％、がそれぞれ指定されている。
【００６１】
即ち、図１０において、画像形成領域４０は、図５、図６と同様に、Ａ４サイズになるので、画像形成領域４０の幅ＰＷが２１０ｍｍ、高さＰＨが２９７ｍｍとなる。枠消去領域４１の幅ＤＷ２は、３００％で拡大されるため、３０ｍｍが３倍され、９０ｍｍになる。出力前画像４５は、読み取りサイズがＡ４の入力画像データの幅と高さがそれぞれ３倍されるので、画像形成領域４０を超過することになる。
【００６２】
出力前画像４５から枠消去領域４１を除去した部分は、表示されるべき全体画像領域４４である。式（２）、式（３）により、画像形成領域４０を超過する領域が、除去され、図１０に示すように、画像形成領域４０には、枠消去領域４１の画像の一部及び有効画像領域４２の画像の一部が出力画像データとして図３中のＲＡＭ２０ｃに格納されている。全体画像領域４４のうち、有効画像領域４２を除いた部分は、無効画像領域４３であり、記録媒体に出力されない部分である。
【００６３】
図１１は、図４中の表示パネル３４における有効画像領域率及び画像再現率の表示例を示す図である。
【００６４】
表示パネル３４の領域３４ａには、現時点の画像処理条件である、読み取りサイズＡ４、拡大縮小３００％、出力用紙Ａ４、枠消去３０ｍｍ等が表示されている。表示パネル３４の領域３４ｂには、現時点の有効画像領域率３９．８％と、画像再現率２３．２が表示されている。
【００６５】
図１２は、本発明の実施例２における図９中のスキャナ装置１０Ａの動作を示すフローチャートである。
【００６６】
利用者が操作パネル３０を用いて画像処理条件の入力を開始することにより、本処理が開始される。
【００６７】
実施例１と同様のステップＳ１〜Ｓ８が実行され、有効画面領域率が算出される。
【００６８】
実施例１と異なるステップＳ２１において、全体画像領域算出手段５１により、全体画像領域４４の面積が次の式（７）で算出される。
全体画像領域４４の面積
＝（入力画像の幅−２×枠消去領域４１の幅）
×（入力画像の高さ−２×枠消去領域４１の幅）×変倍率・・・（７）
【００６９】
実施例１と異なるＳ２２において、有効画像再現率算出手段５２により、有効画像再現率が次の式（８）で算出される。
有効画像再現率
＝（有効画像領域４２の面積）／全体画像領域４４の面積）×１００・・・（８）
【００７０】
実施例１と同様のステップＳ９において、算出結果出力手段２７は、有効画像領域率算出手段２６が算出した有効画像領域率と、有効画像再現率算出手段５２が算出した有効画像再現率とを操作パネル３０の表示パネル３４に表示し、本処理を終了する。
【００７１】
実施例１と同様に、前記ステップＳ１〜Ｓ４の処理において、操作パネル３０のスタートボタン３７の押下は、オペレータが画像処理条件の入力を完了したと判断したときに押下される。そのため、ステップＳ１、Ｓ２が完了したとき、ステップＳ１〜Ｓ３が完了したとき、ステップＳ１〜Ｓ４が完了したときのいずれかの時点でスタートボタン３７が押下される。
【００７２】
次に（イ）ステップＳ１、Ｓ２が完了した時点、（ロ）ステップＳ１〜Ｓ３が完了した時点、及び（ハ）ステップＳ１〜Ｓ４が完了した時点の、それぞれについて説明を行う。
【００７３】
（イ）  ステップＳ１、Ｓ２が完了した時点
この場合は、
入力画像の面積＝有効画像領域４２＝全体画像領域４４の面積
であるので、式（８）から、有効画像再現率は、１００％になる。
【００７４】
（ロ）  ステップＳ１〜Ｓ３が完了した時点
この場合は、有効画像領域４２の面積は、式（４）から
有効画像領域４２の面積
＝（画像形成領域４０の幅ＰＷ−２×枠消去幅ＤＷ）
×（画像形成領域４０の高さＰＨ−２×枠消去幅ＤＷ）
＝（２１０−２×３０）×（２９７−２×３０）
＝３５５５０平方ｍｍ
となる。
【００７５】
全体画像領域４４の面積は、式（７）から
（２１０−２×３０）×（２９７−２×３０）＝３５５５０平方ｍｍ
となるので、式（８）から
有効画像再現率
＝（有効画像領域４２の面積／全体画像領域４４の面積）×１００
＝（３５５５０／３５５５０）×１００＝１００％
となる。
【００７６】
（ハ）  ステップＳ１〜Ｓ４が完了した時点
この場合は、有効画像領域４２の面積は、式（５）から
有効画像領域４２の面積
＝（画像形成領域４０の幅ＰＷ−変倍された枠消去幅ＤＷ２）
×（画像形成領域４０の高さＰＨ−変倍された枠消去幅ＤＷ２）・・・（５）
＝（２１０−３０×３）×（２９７−３０×３）＝２４８４０平方ｍｍ
となる。
【００７７】
全体画像領域４４の面積は、式（７）から
全体画像領域４４の面積
＝（入力画像の幅−２×枠消去領域４１の幅）
×（入力画像の高さ−２×枠消去領域４１の幅）×変倍率
＝（２１０−２×３０）×（２９７−２×３０）×３
＝１０６６５０平方ｍｍ
従って、有効画像再現率は、式（８）から
有効画像再現率
＝（有効画像領域４２の面積）／全体画像領域４４の面積）×１００・・・（８）
＝（２４８４０／１０６６５０）×１００＝２３．２％
になる。
【００７８】
（実施例２の効果）
実施例２のスキャナ装置１０Ａ及び画像形成装置によれば、実施例１の効果に加え、有効画像再現率を算出して表示するので、本来、記録媒体上に画像形成されるべき画像の再現率が把握できる。そのため、利用者の意図しない無駄な出力を、更に効果的に抑止できる。
【００７９】
（変形例）
本発明は、上記実施例に限定されず、種々の利用形態や変形が可能である。この利用形態や変形例としては、例えば、次の（ａ）〜（ｃ）のようなものがある。
【００８０】
（ａ）  実施例１、２では、画像形成装置として、ＭＦＰを例に説明したが、例えば、ファクシミリ装置、複写機等であってもよい。
【００８１】
（ｂ）  実施例１、２では、入力画像データのサイズをＡ４、画像形成領域４０のサイズをＡ４の矩形領域として説明したが、これらのサイズは、特に限定されない。更に、矩形領域でなくてもよい。
【００８２】
（ｃ）  実施例１、２では、所定データ置換領域を、白色を表す画像データで置換することで説明したが、所定データは、白色に限定されない。例えば、単色の黒色又はカラーであってもよいし、これらの模様であってもよい。
【符号の説明】
【００８３】
１０，１０Ａ          スキャナ装置
１１                  読み取りユニット
２０，２０Ａ          制御部
２１                  画像処理条件入力手段
２２                  画像入力手段
２３                  画像加工手段
２４                  画像形成領域算出手段
２５                  有効画像領域算出手段
２６                  有効画像領域率算出手段
２７                  算出結果出力手段
３０                  操作パネル
３４                  表示パネル
３７                  スタートボタン
４０                  画像形成領域
４１                  枠消去領域
４２                  有効画像領域
４４                  全体画像領域
４５                  出力前画像
５１                  全体画像領域算出手段
５２                  有効画像再現率算出手段
８０                  印刷ユニット
【図１】
2013128230.tif 000003
【図２】
2013128230.tif 000004
【図３】
2013128230.tif 000005
【図４】
2013128230.tif 000006
【図５】
2013128230.tif 000007
【図６】
2013128230.tif 000008
【図７】
2013128230.tif 000009
【図８】
2013128230.tif 000010
【図９】
2013128230.tif 000011
【図１０】
2013128230.tif 000012
【図１１】
2013128230.tif 000013
【図１２】
2013128230.tif 000014